(57)【要約】【課題】  原稿画像の上に適切な位置に印字データ、あるいは消去エリア、あるいは合成エリアが付加された画像形成装置を提供する。【解決手段】  画像を読み取る画像読み取り手段１と、読み取った画像を記憶する画像記憶手段２と、印字情報の合成を含む画像編集を行う画像編集手段３と、転写紙上に画像を印字する印字手段５とを有し、画像読み取り手段１により読み取られた画像を画像編集手段３により画像移動する際、印字される位置は読み取られた画像移動に伴い決定する画像形成装置。【選択図】        図１
2006049997.tif 000002
【特許請求の範囲】
【請求項１】
画像を読み取る画像読み取り手段と、読み取った画像を記憶する画像記憶手段と、印字情報の合成を含む画像編集を行う画像編集手段と、転写紙上に画像を印字する印字手段とを有し、前記画像読み取り手段により読み取られた画像を前記画像編集手段により画像移動する際、前記印字手段により印字される画像位置は読み取られた画像移動に伴い決定することを特徴とする画像形成装置。
【請求項２】
画像を読み取る画像読み取り手段と、読み取った画像を記憶する画像記憶手段と、画像の情報から所定の領域を消去する画像消去を含む画像編集を行う画像編集手段と、転写紙上に画像を印字する印字手段とを有し、前記画像読み取り手段により読み取られた画像を前記画像編集手段により画像移動する際、前記画像編集手段により消去される画像領域も画像移動に伴い移動することを特徴とする画像形成装置。
【請求項３】
画像を読み取る画像読み取り手段と、読み取った画像を記憶する画像記憶手段と、画像の情報に予め記憶手段に蓄積してあった画像を合成する画像合成を含む画像編集を行う画像編集手段と、転写紙上に画像を印字する印字手段とを有し、前記画像読み取り手段により読み取られた画像を前記画像編集手段により画像移動する際、前記画像編集手段により合成する画像も画像移動に伴い移動することを特徴とする画像形成装置。
【発明の詳細な説明】
【技術分野】
【０００１】
本発明は、デジタル方式の画像形成装置に関する。
【背景技術】
【０００２】
デジタル方式の画像形成装置は、画像読み取り手段で読み取った画像データをデジタルデータとしてメモリに蓄積し、画像回転、画像移動等、種種の画像編集を行うことができるようになっている。そして従来から、読み取られた画像が出力時回転するか否かで画像移動基準を変えて、利用者に期待する画像を提供することができる画像形成装置が提供されている（例えば、特許文献１参照）。
【特許文献１】特許第３２１９５３０号
【発明の開示】
【発明が解決しようとする課題】
【０００３】
上記特許文献１には、読み取った原稿が回転する場合としない場合の画像移動技術が提案されている。しかし、原稿画像の画像移動に印字、綴じ代、消去の機能を組み合わせた場合については言及されていない。
本発明は、原稿画像の上に適切な位置に印字データ、あるいは消去エリア、あるいは合成エリアが付加された画像形成装置を提供することを目的としている。
【課題を解決するための手段】
【０００４】
上記目的を達成するために、請求項１記載の発明は、画像を読み取る画像読み取り手段と、読み取った画像を記憶する画像記憶手段と、印字情報の合成を含む画像編集を行う画像編集手段と、転写紙上に画像を印字する印字手段とを有し、前記画像読み取り手段により読み取られた画像を前記画像編集手段により画像移動する際、前記印字手段により印字される画像位置は読み取られた画像移動に伴い決定することを特徴とする。
請求項２記載の発明は、画像を読み取る画像読み取り手段と、読み取った画像を記憶する画像記憶手段と、画像の情報から所定の領域を消去する画像消去を含む画像編集を行う画像編集手段と、転写紙上に画像を印字する印字手段とを有し、前記画像読み取り手段により読み取られた画像を前記画像編集手段により画像移動する際、前記画像編集手段により消去される画像領域も画像移動に伴い移動することを特徴とする。
請求項３記載の発明は、画像を読み取る画像読み取り手段と、読み取った画像を記憶する画像記憶手段と、画像の情報に予め記憶手段に蓄積してあった画像を合成する画像合成を含む画像編集を行う画像編集手段と、転写紙上に画像を印字する印字手段とを有し、前記画像読み取り手段により読み取られた画像を前記画像編集手段により画像移動する際、前記画像編集手段により合成する画像も画像移動に伴い移動することを特徴とする。
【発明の効果】
【０００５】
本発明によれば、原稿画像が移動する時、印字される位置は原稿画像の移動に伴い決定しているので、原稿画像の上に適切な位置に印字データが付加された画像が生成される。
また、原稿画像が移動する時、消去する領域も原稿画像の移動に伴い決定しているので、原稿画像の上に適切な位置に消去エリアを付加した画像が生成される。
また、原稿画像が移動する時、合成画像印字領域も原稿画像の移動に伴い決定しているので、原稿画像の上に適切な位置に合成エリアを印字した画像が生成される。
【発明を実施するための最良の形態】
【０００６】
以下、図面を参照して、本発明の実施形態を詳細に説明する。
図１は本発明の実施形態に係る画像形成装置のブロック図である。本画像形成装置は、画像読み取り部（以下、スキャナという）１、画像メモリ２、編集加工部３、操作部４、出力部５から構成されている。
スキャナ１によって読み取られた画像は、特に画像移動、印字付加、綴じ代付加、消去処理等の画像編集がなければ、直接画像メモリ２に格納され、出力部５を通して印刷される。一方、画像移動が設定されたり、印字が設定されたり、綴じ代が設定されたり、内外消去が設定されたりすると、スキャナ１によって読み取られた画像は編集加工部３を通して各種編集加工された上で画像メモリ２に格納され、出力部５を通して印刷される。
【実施例１】
【０００７】
実施例１について説明をする。まず操作部４からユーザーは画像移動位置（左上、中上、右上、左中、中央、右中、左下、中下、右下）を一つ設定する。
図２は画像移動に伴い、印字位置が移動する際の動作フローチャートである。まず対象となる原稿をスキャナ１で読み込む（ステップ１）。次に読み込んだ画像のメモリ上に貼り付く向きを取得する（ステップ２）。
例として圧板上では、図３の矢印の方向に主、副走査読み込みされるため、張り付き向きは０°となる。また、シートスルータイプのＡＤＦでは、図３の矢印の方向に主、副走査読み込みされるため、貼り付き向きは１８０°となる。
次にこの貼り付き向きの条件と操作部４から設定した画像移動位置から主、副走査方向移動量を得る。一例として、シートスルータイプのＡＤＦにＡ５原稿を２枚置き、片面→集約２ｉｎ１のモード、転写紙Ａ３にて、操作部４より、集約第１画像の画像移動位置は右上、集約第２画像は右下を設定した場合について説明する。
まず、転写紙がＡ３であるため、画像メモリ領域はＡ３が確保される、そのＡ３の領域に対して、第１の画像がシートスルータイプのＡＤＦから給紙され、スキャナ１で読み込まれる（ステップ１）。
シートスルータイプのＡＤＦから読み込まれた画像のため、図４のように画像メモリ２上には１８０°の向きで貼り付けられる。但し、貼り付けられる画像メモリ領域は右半分（座標では開始点（０，０）−幅（主走査Ａ３幅，副走査Ａ３幅／２））となる。
ここで、画像移動があるかどうかをチェックする（ステップ３）。画像移動がある場合、集約第１画像移動位置が右上、貼り付き向きが１８０°から画像移動量は、ＭＶ＿Ｘ１＿Ｙ１となる（ステップ４）。
ＭＶ＿Ｘ１＿Ｙ１とは、図５において、主走査方向のメモリ幅（ｍｅｍ＿ｘｗ）から読み込んだ主走査画像サイズ（ｏｒｇ＿ｘｗ）を引いたものを主走査移動量とし、副走査方向のメモリ幅（ｍｅｍ＿ｙｗ／２）から読み込んだ副走査画像サイズ（ｍｅｍ＿ｙｗ）を引いたものを副走査移動量とすることを意味している。すなわち、図５の→分が移動量となる。
【０００８】
次に印字を付加するかどうかのチェックをする（ステップ５）。印字を付加する場合には、印字する位置を画像メモリ２上で指示する（ステップ６）。座標指示を図６の印字位置決定の説明図を用いて説明する。
指示の仕方は、１）フレーム、２）印字角度、３）印字位置（左上、中上、右中、左中、中央、右中、左下、中下、右下）とそれぞれの位置から４）距離で指定をすることとする。
まず１）フレームであるが、図６における右半分の中のＲ画像のエリアを指定する。従って、開始点が画像移動量となり、幅が読み込んだ画像サイズとなる。すなわち、開始点（ｍｅｍ＿ｘｗ−ｏｒｇ＿ｘｗ，ｍｅｍ＿ｙｗ−ｏｒｇ＿ｙｗ）−幅（ｏｒｇ＿ｘｗ，ｏｒｇ＿ｙｗ）となる。
次に２）印字角度は画像角度と合わせるため、１８０°となる。次に３）印字位置は操作部４からユーザーが設定した位置となる。図６では左上が指示された例としている。
次に４）左上（図中の●位置）からの距離はユーザーが予め初期設定等で設定できることとし、その値とする。図６では０を指示された例としている。次に集約最終画像かどうかを判定する（ステップ７）。集約数２に対し、現在はひとつの画像しか画像メモリ２に貼り付けていないため、次のステップに進む。次にシートスルータイプのＡＤＦ上に原稿が存在するかどうかチェックする（ステップ８）。
原稿がある場合には再びステップ１に戻り、スキャナ１で原稿を読み取る。集約第１画像と同じく画像メモリ２上には１８０°の向きで貼り付けられる。集約第２画像であるため、画像メモリ領域には左半分に貼り付けられる（座標では開始点（０，副走査Ａ３幅／２）−幅（主走査Ａ３幅，副走査Ａ３幅／２）。
ここで集約第１画像同様に画像移動があるかどうかチェックする。（ステップ３）、集約第２画像移動位置において右下張り付き向きが１８０°から、画像移動量はＭＶ＿Ｘ０＿Ｙ１（ステップ４）となる。ＭＶ＿Ｘ０＿Ｙ１とは、図４において、主走査移動量は０とし、副走査のメモリ幅（ｍｅｍ＿ｙｗ／２）から読み込んだ副走査画像サイズ（ｏｒｇ＿ｙｗ）を引いたものを副走査移動量とすることを意味している。
次に集約第１画像同様に印字を不可するかどうかをチェックし、印字するために印字する位置を画像メモリ２上で指示する（ステップ６）。図６より集約第２画像の印字位置は次のようになる。
まず１）フレームは開始点（０，ｍｅｍ＿ｙｗ−ｏｒｇ＿ｙｗ）−幅（ｏｒｇ＿ｘｗ，ｏｒｇ＿ｙｗ）となる。次に２）印字角度は集約第１画像同様１８０となる。次に３）印字位置もユーザーが指定したものは同じなので本実施形態では左上となる。次に４）左上（図中の〇位置）からの距離も集約第１画像同様、図６では０を指示された例としている。
次に集約最終画像かどうかを判定し（ステップ７）、集約数２に対し、現在２つめの画像を画像メモリ２に貼り付けたため、ステップ９に進み出力部５において、それぞれ集約第１画像は左上、集約第２画像は右下に画像移動してかつそれぞれの画像の左上に印字された画像が印刷される。
【実施例２】
【０００９】
次に実施例２について説明する。まず操作部４からユーザーは画像移動位置（左上、中上、右上、左中、中央、右中、左下、中下、右下）を一つ設定する。
図７は画像移動に伴い消去エリアが移動する際の動作フローチャートである。画像読み取り（ステップ１）から主副画像移動量算出（ステップ４）までのフローは実施例１と同様なので省略し、ステップ５から説明する。
ステップ５では内消去エリアが設定されているかどうかチェックする。内消去エリアが設定されていれば内消去エリアを決定する（ステップ６）。エリア指示を図８に示す内消去領域の決定の説明図を用いて説明する。
ユーザーの内消去エリア指定は画像右上からの開始点（図中のｍａｓｋ＿ｘ１とｍａｓｋ＿ｙ１）と幅（図中のｍａｓｋ＿ｘｗとｍａｓｋ＿ｙｗ）で行うものとする。内消去エリアの領域指定は、単純に図中の右上原点（０）からの開始点と幅指定で行う。
まず、集約第１画像の内消去開始点であるが、本実施形態では画像が１８０°向きで画像メモリ２上に貼り付けられ、画像移動位置が右上であるので、主走査開始点＝主走査方向のメモリ幅（ｍｅｍ＿ｘｗ）−主走査内消去開始点（ｍａｓｋ＿ｘ１）−主走査内消去幅（ｍａｓｋ＿ｘｗ）となり、副走査開始点＝副走査メモリ幅（ｍｅｍ＿ｙｗ）／２−副走査内消去開始点（ｍａｓｋ＿ｙ１）−副走査内消去エリア（ｍａｓｋ＿ｙｗ）（図中の●印）となる。
また、消去幅はユーザー指定された幅と同じなので主走査消去幅＝ｍａｓｋ＿ｘｗ、副走査消去幅＝ｍａｓｋ＿ｙｗとなる。内消去領域が決定すると次に集約最終画像かどうかを判定する（ステップ７）。集約数２に対し、現在はひとつの画像しか画像メモリ２に貼り付けていないため、次のステップに進む。
【００１０】
次にシートスルータイプのＡＤＦ上に原稿が存在するかどうかチェックする（ステップ８）。原稿が存在すると再度ステップ１からのフローとなる。再度実施例１と同様であるため、画像読み取り（ステップ１）から主副画像移動量算出（ステップ４）までの説明は省略する。
集約第２画像の内消去領域の決定を、図８を用いて説明する。ユーザーの内消去エリアの指定は集約第１画像同様に（図中のｍａｓｋ＿ｘ１とｍａｓｋ＿ｙ１）と幅（図中のｍａｓｋ＿ｘｗとｍａｓｋ＿ｙｗ）で行うものとする。
図８から集約第２画像の内消去開始点は、画像が１８０向きでメモリ上に貼り付けられ画像移動位置が右下であるので、主走査開始点＝読み込んだ主走査画像サイズ幅（ｏｒｇ＿ｘｗ）−主走査内消去開始点（ｍａｓｋ＿ｘ１）−主走査内消去幅（ｍａｓｋ＿ｘｗ）となり、副走査開始点＝副走査メモリ幅（ｍｅｍ＿ｙｗ）−副走査内消去開始点（ｍａｓｋ＿ｙ１）−副走査内消去エリア（ｍａｓｋ＿ｙｗ）（図中の〇印）となる。
また、消去幅は集約第１画像同様ユーザーが指定した幅と同じなので、主走査幅＝ｍａｓｋ＿ｘｗ、副走査幅＝ｍａｓｋ＿ｙｗとなる。次に集約最終画像かどうかを判定し（ステップ７）、集約数２に対し、現在２つめの画像を画像メモリ２に貼り付けたため、ステップ９に進み出力部５において、それぞれ集約第１画像は左上、集約第２画像は右下に画像移動してかつ内消去がされた画像が印刷される。
【実施例３】
【００１１】
次に実施例３について説明する。まず操作部４からユーザーは画像移動位置（左上、中上、右上、左中、中央、右中、左下、中下、右下）を一つ設定する。
図９は画像移動に伴い、合成画像位置が移動する際の動作フローチャートである。画像読み取り（ステップ１）から主副画像移動量算出（ステップ４）までのフローは実施例１の説明と同様なので省略し、ステップ５から説明する。
ステップ５では合成画像があるかどうかチェックをする。合成画像がある場合には、合成画像を合成するエリアを画像メモリ２上で指示する（ステップ６）。エリア指示を図１０の合成領域の決定の説明図を用いて説明する。
合成画像の大きさは主走査幅（ｏｖｅｒｌａｙ＿ｘｗ）、副走査幅（ｏｖｅｒｌａｙ＿ｙｗ）とする。また、合成画像貼り付け位置を右上とした時の合成エリアの領域指定は、単純に図中の右上原点（０）からの開始点と幅指定で行う。
まず、集約第１画像の合成画像合成印字領域であるが、本実施例では画像が１８０°向きで画像メモリ２上に貼り付けられ画像移動位置が右上であるので、主走査開始点＝主走査方向のメモリ幅（ｍｅｍ＿ｘｗ）−主走査合成画像幅（ｏｖｅｒｌａｙ＿ｘｗ）となり、副走査開始点＝副走査メモリ幅（ｍｅｍ＿ｙｗ）／２−副走査合成画像幅（ｏｖｅｒｌａｙ＿ｙｗ）（図中の●印）となる。
また、合成幅は合成画像そのままの幅なので、主走査合成幅＝ｏｖｅｒｌａｙ＿ｘｗ、副走査合成幅＝ｏｖｅｒｌａｙ＿ｙｗとなる。合成画像印字領域が決定すると次に集約最終画像かどうかを判定する（ステップ７）。集約数２に対し、現在はひとつの画像しか画像メモリ２に貼り付けていないため、次のステップに進む。
【００１２】
次にシートスルータイプのＡＤＦ上に原稿が存在するかどうかチェックする（ステップ８）。原稿が存在すると再度ステップ１からのフローとなる。再度実施例１と同様であるため、画像読み取り（ステップ１）から主副画像移動量算出（ステップ４）までの説明は省略する。
集約第２画像の合成画像印字領域の決定を、図１０を用いて説明する。合成画像の大きさは、集約第１画像時同様に主走査幅（ｏｖｅｒｌａｙ＿ｘｗ）、副走査幅（ｏｖｅｒｌａｙ＿ｙｗ）とし、合成画像貼り付け位置も右上とした場合の集約第２画像の合成画像合成印字領域は、本実施例では画像が１８０°向きで画像メモリ２上に貼り付けられ画像移動位置が右上であるので、主走査開始点＝読み込んだ主走査画像サイズ幅（ｏｒｇ＿ｘｗ）−主走査合成画像幅（ｏｖｅｒｌａｙ＿ｘｗ）となり、副走査開始点＝副走査メモリ幅（ｍｅｍ＿ｙｗ）−副走査合成画像幅（ｏｖｅｒｌａｙ＿ｙｗ）（図中の〇印）となる。
また、合成幅は集約第１画像同様合成画像そのままの幅と同じなので、主走査幅＝ｏｖｅｒｌａｙ＿ｘｗ、副走査幅＝ｏｖｅｒｌａｙ＿ｙｗとなる。次に集約最終画像かどうかを判定し（ステップ７）、集約数２に対し、現在２つめの画像を画像メモリ２に貼り付けたため、ステップ９に進み出力部５において集約、それぞれ集約第１画像は左上、集約第２画像は右下に画像移動してかつ合成画像が右上に印字された画像が印刷される。
【図面の簡単な説明】
【００１３】
【図１】本発明の実施形態に係る画像形成装置のブロック図。
【図２】画像移動に伴い、印字位置が移動する際の動作フローチャート。
【図３】圧板、シートスルータイプＡＤＦで原稿を読んだ場合の画像の向きを示す説明図。
【図４】画像移動前の読み取り画像の画像メモリへの貼り付けの説明図。
【図５】集約画像移動量の算出の説明図。
【図６】印字位置決定の説明図。
【図７】画像移動に伴い消去エリアが移動する際の動作フローチャート。
【図８】内消去領域の決定の説明図。
【図９】画像移動に伴い、合成画像位置が移動する際の動作フローチャート。
【図１０】合成画像位置の決定の説明図。
【符号の説明】
【００１４】
１  画像読み取り部（画像読み取り手段）
２  画像メモリ（画像記憶手段）
３  編集加工部（画像編集手段）
４  操作部
５  出力部（印字手段）
【図１】
2006049997.tif 000003
【図２】
2006049997.tif 000004
【図３】
2006049997.tif 000005
【図４】
2006049997.tif 000006
【図５】
2006049997.tif 000007
【図６】
2006049997.tif 000008
【図７】
2006049997.tif 000009
【図８】
2006049997.tif 000010
【図９】
2006049997.tif 000011
【図１０】
2006049997.tif 000012